(57)【要約】【課題】  一升瓶等を梱包又は運送する際、瓶を固定したり、衝撃を緩衝したりする瓶用緩衝体であって、特に組み立てを容易に行うことができる瓶用緩衝体を提供する。【解決手段】  上面部の左右方向に側面部が延設され、側面部の左右方向には第１底面部、第２底面部が延設され、上面部の上下方向には係合側面部が延設され、上面部は瓶の底部と同径の貫通孔からなる支持部を備え、第１底面部と第２底面部は上下端部に切欠部を備え、略中央部に貫通孔を備え、第１底面部の貫通孔は第２底面部の貫通孔より大径とし、係合側面部は切欠部と係合する係合部を備える板状体で、上面部の境界の折曲線で側面部を下方に折曲させ、側面部の境界の折曲線で第１底面部及び第２底面部を上面部と対向するよう折曲させ、第１底面部を上方にして両者を重合させ、上面部の境界の折曲線で係合側面部を折曲させ、係合部を切欠部に係合させて組み立てることを特徴とする瓶用緩衝体。【選択図】  図１
0003153754.tif 000002
【実用新案登録請求の範囲】
【請求項１】
側面部と底面部を備え、一枚の所定形状の板状体を折曲させて組み立てられる箱型の瓶用緩衝体において、
四角形状における上面部の左右方向に側面部が延設され、
一方の側面部における左右方向には第１底面部が、他方の側面部における左右方向には第２底面部が夫々延設され、
上面部の上下方向には係合側面部が延設され、
上面部は瓶の底部と略同径の貫通孔からなる支持部を備え、
第１底面部及び第２底面部は上下端部に切欠部を備え、略中央部には貫通孔を備え、
第１底面部の貫通孔は第２底面部の貫通孔より大径とされ、
係合側面部は前記切欠部と係合する係合部を備える板状体であって、
上面部との境界における折曲線にて側面部を下方に折曲させ、
側面部との境界における折曲線にて第１底面部及び第２底面部を上面部と対向するよう折曲させ、且つ第１底面部を上方にして両者を重合させ、
上面部との境界における折曲線にて係合側面部を折曲させ、係合部を切欠部に係合させて組み立てることを特徴とする瓶用緩衝体。
【請求項２】
上面部における支持部の周縁から四方の折曲線まで連設され、貫通孔から形成される補強部を備える請求項１に記載の瓶用緩衝体。
【請求項３】
係合部及び切欠部はテーパ部を有して形成される請求項１又は請求項２に記載の瓶用緩衝体。
【請求項４】
板状体は段ボールからなり、組み立てた状態において、側面部における段ボールの中芯が鉛直方向に配置される請求項１乃至請求項３のいずれか１項に記載の瓶用緩衝体。
【請求項５】
第２底面部の左右方向に第３底面部が延設され、
第３底面部は上下端部に切欠部を備え、略中央部には第２底面部と略同径の貫通孔を備えてなり、
第２底面部との境界における折曲線にて第２底面部の下方に折曲して重合させ、
係合側面部の係合部を切欠部に係合させて組み立てる請求項１乃至請求項４のいずれか１項に記載の瓶用緩衝体。
【請求項６】
第２底面部と第３底面部との境界における折曲線は、板状体の厚さ方向を半切れにした折返し部とする請求項５に記載の瓶用緩衝体。
【考案の詳細な説明】
【技術分野】
【０００１】
本考案は、一升瓶等を梱包又は運送する際、瓶を固定したり、衝撃を緩衝したりする瓶用緩衝体に係るものであって、特に組み立てを容易に行うことができる瓶用緩衝体に関するものである。
【背景技術】
【０００２】
従来より、一升瓶等を梱包又は運送する際、瓶を固定したり、衝撃を緩衝したりする瓶用緩衝体が公知である。例えば、一枚のダンボール板を所定形状に形成した板材を折り縁部で折り曲げて組み立て形成され、箱体内底部に収納でき、且つこの箱体内に収納する瓶の底部に嵌合する形状として、箱体内の瓶への衝撃を緩衝する瓶用緩衝体であって、主に、上部開口型の箱状に組み立て形成されてこの上部開口部を前記瓶の底部が挿入嵌合する嵌合部とし、この嵌合部の底部は少なくとも板材が三重以上重合した構成とし、周壁部は少なくとも板材が二重以上重合した構成としたものが公知である（例えば、特許文献１参照）。
【先行技術文献】
【特許文献】
【０００３】
【特許文献１】特開２００３−１６０１７２号公報
【０００４】
当該特許文献１に係る構造では、夫々の底形成部に係止部が設置されており、組み立て時には各係止部を対応する係合部へ係合させる必要があり、組み立て工程が煩雑となる虞があった。
【考案の概要】
【考案が解決しようとする課題】
【０００５】
そこで、本考案はこのような問題点を解決するものであって、一升瓶等を梱包又は運送する際、瓶を固定したり、衝撃を緩衝したりする瓶用緩衝体であって、特に組み立てを容易に行うことができる瓶用緩衝体を提供することを課題とする。
【課題を解決するための手段】
【０００６】
前記問題点を解決するために、本考案の請求項１に記載の考案の瓶用緩衝体は、側面部と底面部を備え、一枚の所定形状の板状体を折曲させて組み立てられる箱型の瓶用緩衝体において、四角形状における上面部の左右方向に側面部が延設され、一方の側面部における左右方向には第１底面部が、他方の側面部における左右方向には第２底面部が夫々延設され、上面部の上下方向には係合側面部が延設され、上面部は瓶の底部と略同径の貫通孔からなる支持部を備え、第１底面部及び第２底面部は上下端部に切欠部を備え、略中央部には貫通孔を備え、第１底面部の貫通孔は第２底面部の貫通孔より大径とされ、係合側面部は前記切欠部と係合する係合部を備える板状体であって、上面部との境界における折曲線にて側面部を下方に折曲させ、側面部との境界における折曲線にて第１底面部及び第２底面部を上面部と対向するよう折曲させ、且つ第１底面部を上方にして両者を重合させ、上面部との境界における折曲線にて係合側面部を折曲させ、係合部を切欠部に係合させて組み立てることを特徴とするものである。
【０００７】
また、本考案の請求項２に記載の考案の瓶用緩衝体は、請求項１に記載の瓶用緩衝体において、上面部における支持部の周縁から四方の折曲線まで連設され、貫通孔から形成される補強部を備えるものである。
【０００８】
また、本考案の請求項３に記載の考案の瓶用緩衝体は、請求項１又は請求項２に記載の瓶用緩衝体において、係合部及び切欠部はテーパ部を有して形成されるものである。
【０００９】
また、本考案の請求項４に記載の考案の瓶用緩衝体は、請求項１乃至請求項３のいずれか１項に記載の瓶用緩衝体において、板状体は段ボールからなり、組み立てた状態において、側面部における段ボールの中芯が鉛直方向に配置されるものである。
【００１０】
また、本考案の請求項５に記載の考案の瓶用緩衝体は、請求項１乃至請求項４のいずれか１項に記載の瓶用緩衝体において、第２底面部の左右方向に第３底面部が延設され、第３底面部は上下端部に切欠部を備え、略中央部には第２底面部と略同径の貫通孔を備えてなり、第２底面部との境界における折曲線にて第２底面部の下方に折曲して重合させ、係合側面部の係合部を切欠部に係合させて組み立てるものである。
【００１１】
また、本考案の請求項６に記載の考案の瓶用緩衝体は、請求項５に記載の瓶用緩衝体において、第２底面部と第３底面部との境界における折曲線は、板状体の厚さ方向を半切れにした折返し部とするものである。
【考案の効果】
【００１２】
本考案の請求項１に記載の瓶用緩衝体では、１枚の板状体を折曲し、係合側面部における係合部を切欠部に係合させるだけで組み立てることができるので、組み立てを容易に行うことができる。
また、底面部を二重構造としたことから、瓶を安定した状態で支持することができるとともに、衝撃により破損するのを防止することができる。
【００１３】
本考案の請求項２に記載の瓶用緩衝体では、請求項１における瓶用緩衝体において、上面部における支持部の周縁から四方の折曲線まで連設され、貫通孔から形成される補強部を備えたので、折曲線にて折曲させ易くすることができるとともに、各側面部を折曲させる際に支持部を確保することができる。
【００１４】
本考案の請求項３に記載の瓶用緩衝体では、請求項１又は請求項２における瓶用緩衝体において、係合部及び切欠部はテーパ部を有して形成されるので、係合の際には、当該テーパ部同士が係合することから、係合側面部は抜脱することなく、確実に係合させることができる。
【００１５】
本考案の請求項４に記載の瓶用緩衝体では、請求項１乃至請求項３のいずれか１項に記載の瓶用緩衝体において、板状体は段ボールからなり、組み立てた状態において、側面部における段ボールの中芯が鉛直方向に配置されるので、鉛直方向の強度を向上させることができる。
【００１６】
本考案の請求項５に記載の瓶用緩衝体では、請求項１乃至請求項４のいずれか１項に記載の瓶用緩衝体において、第２底面部の左右方向に第３底面部が延設され、第３底面部は上下端部に切欠部を備え、略中央部には第２底面部と略同径の貫通孔を備えてなり、第２底面部との境界における折曲線にて第２底面部の下方に折曲して重合させ、係合側面部の係合部を切欠部に係合させて組み立てるので、底面部が三重構造となることから、請求項１における瓶用緩衝体よりも更に瓶を安定した状態で支持することができるとともに、衝撃により破損するのを防止することができる。
【００１７】
本考案の請求項６に記載の瓶用緩衝体では、請求項５に記載の瓶用緩衝体において、第２底面部と第３底面部との境界における折曲線を板状体の厚さ方向を半切れにした折返し部としたことから、第３底面部は一方向にのみ折曲するので、請求項５における瓶用緩衝体よりも更に組み立てを容易に行うことができる。
【図面の簡単な説明】
【００１８】
【図１】本考案の実施例における瓶用緩衝体の斜視図である。
【図２】本考案の実施例における瓶用緩衝体の図１のＰ−Ｐ拡大断面図である。
【図３】本考案の実施例における瓶用緩衝体の縮小展開図である。
【図４】本考案の実施例における瓶用緩衝体を組み立てる際の側面部を折曲した斜視図である。
【図５】本考案の実施例における瓶用緩衝体を組み立てる際の第１底面部を折曲した斜視図である。
【図６】本考案の実施例における瓶用緩衝体を組み立てる際の第２底面部及び第３底面部を折曲させる途中の斜視図である。
【図７】本考案の実施例における瓶用緩衝体を組み立てる際の第２底面部及び第３底面部を折曲した斜視図である。
【図８】本考案の実施例における瓶用緩衝体を収納箱に設置し瓶を固定した状態の断面図である。
【図９】本考案の別実施例における瓶用緩衝体の縮小展開図である。
【考案を実施するための形態】
【００１９】
以下、本考案の実施の形態における瓶用緩衝体を図面に基づいて説明する。
【実施例】
【００２０】
本考案に係る瓶用緩衝体１は、図１乃至図３に示すように、波状の中芯Ｒを有する一枚の板状体、例えば段ボールを折曲させて組み立て、箱型とする構成で、瓶１３の底部を支持する支持部２ａを備える上面部２、係合部３ａを備える係合側面部３、側面部４、底面部を三重構造とする第１底面部５、第２底面部６及び第３底面部７とから構成されている。また、瓶用緩衝体１が組み立てられた状態において、中芯Ｒが鉛直方向と略同方向になるように、板状体は形成される。
【００２１】
具体的な板状体の展開図を図３に示す。略四角形状における上面部２の左右方向に側面部４が延設され、更に、一方の側面部４における左右方向には、上面部２と略同形状の第１底面部５（同図右側）が、他方の側面部４における左右方向には、第２底面部６（同図左側）が夫々延設される。また、第２底面部６の左右方向には第３底面部７（同図左側）が延設される。また、上面部２の上下方向には係合側面部３（同図上下側）が延設される。瓶用緩衝体１は、係合側面部３及び側面部４によって、収納する瓶１３における底部の支持する位置を調整することができる。
【００２２】
上面部２と係合側面部３、上面部２と側面部４との境界には、折曲させ易いように所定の間隔を有したミシン目状の折曲線８が設けられている。また、側面部４と第１底面部５、第２底面部６との境界には、同様にして折曲線９が設けられている。更に、第２底面部６と第３底面部７との境界における折曲線は、板状体の厚さ方向を半切れにした折返し部１０が設けられている。当該折返し部１０は、第３底面部７が一方向にのみ折曲するよう設けられ、組み立て工程を容易とするものである。
【００２３】
上面部２の略中央部には、瓶１３の底部と略同径の貫通孔からなる支持部２ａが形成されている。当該支持部２ａは瓶１３の底部を支持して固定するものである。更に、上面部２における支持部２ａの周縁から四方の折曲線８の略中央部まで連設され、貫通孔からなる補強部２ｂが形成されている。当該補強部２ｂは、係合側面部３及び側面部４を折曲させ易くするとともに、係合側面部３及び側面部４を折曲させる際に、支持部２ａを確保する為に設けられる。当該補強部２ｂは設けなくてもよく、係る際には、支持部２ａは略円形に形成され、瓶１３の底部と同形状とされる。
【００２４】
第１底面部５、第２底面部６及び第３底面部７の夫々上下端部（同図上下側）には、テーパ部５ｂ、６ｂ、７ｂを有する略コ字状の切欠部５ａ、６ａ、７ａが夫々設けられている。また、各底面部の略中央部には、貫通孔５ｃ、６ｃ、７ｃが設けられており、第２底面部の貫通孔６ｃと第３底面部７の貫通孔７ｃは略同径に形成され、第１底面部５の貫通孔５ｃは両者よりも大径に形成されている。当該貫通孔を設けることにより、収納箱１２から瓶用緩衝体１を容易に取り出すことができるとともに、貫通孔の大きさが相違する点を利用して、組み立て工程における組み間違いを判別することができる。
【００２５】
係合側面部３には、重合した切欠部５ａ、６ａ及び７ａと係合する係合部３ａが設けられ、同様にしてテーパ部３ｂを有し略コ字状に形成される。
【００２６】
このようにして形成される瓶用緩衝体１の板状体は、図４乃至図７に示すようにして組み立てられる。まず、図４に示すように、第１底面部５が連設される側面部４を折曲線８にて上面部２から下方へ折曲させる。このとき、上面部２には補強部２ｂが設けられていることから、確実に折曲することができるとともに、支持部２ａを確保することができる。
【００２７】
次に、図４の矢印Ａに示すように、第１底面部５を上面部２の下方位置にて対向するように折曲させ、図５に示す状態とする。その後に、図５の矢印Ｂに示すように、第２底面部６及び第３底面部７が連設される側面部４を折曲線８にて上面部２から下方へ折曲させるとともに、第２底面部６を第１底面部５の下方位置から重合させるように折曲線９にて折曲し、更に、第３底面部７を第２底面部６の下方位置から重合させるように折返し部１０にて折曲させ、図６に示す状態とする。
【００２８】
最後に、底面部が三重構造となった状態において、図７の矢印Ｃに示すように、係合側面部３を折曲線８にて折曲させ、係合部３ａを切欠部５ａ、６ａ及び７ａと係合させる。詳細には、係合部３ａのテーパ部３ｂと各底面部のテーパ部５ｂ、６ｂ、７ｂが係合する。当該テーパ部同士が係合することから、係合側面部３の係合部３ａが各底面部の切欠部から抜脱するのを防止することができる。このようにして、図１に示すように瓶用緩衝体１は組み立てられる。
【００２９】
このように形成される瓶用緩衝体１は、上面部２、係合側面部３及び側面部４にて収納部１１を形成し、支持部２ａにて瓶１３を固定することができる。また、図２に示すように、底面部は第１底面部５、第２底面部６及び第３底面部７の三重構造とすることができ、緩衝性を向上することができる。
【００３０】
当該瓶用緩衝体１は、図８に示すようにして使用される。具体的には、収納箱１２の底部に設置され、瓶１３を収納部１１に収納し、支持部２ａにて固定するとともに、三重構造の底面部の緩衝性により衝撃等の破損から保護する為に使用される。更に、瓶１３の上部を固定する必要がある場合には、当該瓶用緩衝体１を逆に配置して、底面部における貫通孔５ｃ、６ｃ及び７ｃに瓶１３の上部を挿通させて固定する。
【００３１】
以上、説明した本考案に係る瓶用緩衝体１によれば、１枚の板状体を折曲し、係合側面部３における係合部３ａを係合させるだけで組み立てることができるので、組み立てを容易に行うことができる。
また、底面部を三重構造としたことから、瓶１３を収納箱１２内にて安定した状態で支持することができるとともに、衝撃により破損するのを防止することができる。
【００３２】
更に、上面部２には補強部２ｂを設けたので、折曲線８にて折曲させ易くすることができるし、係合部３ａのテーパ部３ｂと各底面部のテーパ部５ｂ、６ｂ、７ｂの当該テーパ部同士が係合することから、抜脱させることなく確実に係合させることができる。また、側面部４の中芯Ｒが鉛直方向に配置するように板状体を形成することから、鉛直方向の強度を向上させることができる。更に、第２底面部６と第３底面部７との境界における折曲線は、板状体の厚さ方向を半切れにした折返し部１０としたことから、第３底面部７は一方向にのみ折曲するので、組み立てを容易に行うことができる。
【００３３】
また、上記実施例に限られることなく、図９に示すようにして、底面部を第１底面部５及び第２底面部６とから構成する二重構造とした瓶用緩衝体１ａとすることもできる。当該場合においては、三重構造と比較すると緩衝性は低下するが、その他の効果は略同様のものである。
【符号の説明】
【００３４】
１、１ａ  瓶用緩衝体
２        上面部
２ａ      支持部
２ｂ      補強部
３        係合側面部
３ａ      係合部
３ｂ      テーパ部
４        側面部
５        第１底面部
５ａ      切欠部
５ｂ      テーパ部
５ｃ      貫通孔
６        第２底面部
６ａ      切欠部
６ｂ      テーパ部
６ｃ      貫通孔
７        第３底面部
７ａ      切欠部
７ｂ      テーパ部
７ｃ      貫通孔
８、９    折曲線
１０      折返し部
１１      収納部
１２      収納箱
１３      瓶
Ｒ        中芯
【図１】
0003153754.tif 000003
【図２】
0003153754.tif 000004
【図３】
0003153754.tif 000005
【図４】
0003153754.tif 000006
【図５】
0003153754.tif 000007
【図６】
0003153754.tif 000008
【図７】
0003153754.tif 000009
【図８】
0003153754.tif 000010
【図９】
0003153754.tif 000011